(57)【要約】【課題】戸幅方向途中部位に戸高方向に延びる薄板部が設けられた戸体の下端側の見栄えを向上させながらも、該戸体の下端側をガイドし得るガイド部材及びこれを備えた引戸装置を提供する。【解決手段】下端部に下向きに開口し戸幅方向に延びるガイド溝２４がそれぞれに設けられ、戸幅方向に間隔を空けて設けられた複数の板状戸本体２１間に、前記ガイド溝の溝幅よりも厚さが小とされた板状部材２５が架け渡されるように設けられた戸体２０の下端側をガイドするガイド部材１０であって、床２側から上方側に向けて突出するように設けられ、前記ガイド溝に挿入される突出部１５を備えており、該突出部には、前記ガイド溝の溝底２４ａよりも下方側に突出するように設けられた前記板状部材の下端部の被ガイド部２７を受け入れる受入溝１９が上向きに開口し戸幅方向に貫通して設けられている。【選択図】図１
2020180455.tif 000002
【特許請求の範囲】
【請求項１】
下端部に下向きに開口し戸幅方向に延びるガイド溝がそれぞれに設けられ、戸幅方向に間隔を空けて設けられた複数の板状戸本体間に、前記ガイド溝の溝幅よりも厚さが小とされた板状部材が架け渡されるように設けられた戸体の下端側をガイドするガイド部材であって、
床側から上方側に向けて突出するように設けられ、前記ガイド溝に挿入される突出部を備えており、該突出部には、前記ガイド溝の溝底よりも下方側に突出するように設けられた前記板状部材の下端部の被ガイド部を受け入れる受入溝が上向きに開口し戸幅方向に貫通して設けられていることを特徴とするガイド部材。
【請求項２】
請求項１において、
床側に固定されるベース部を備えており、前記突出部は、前記ベース部に対して昇降自在に保持されていることを特徴とするガイド部材。
【請求項３】
請求項２において、
前記突出部の戸幅方向両側縁部に面取部が設けられていることを特徴とするガイド部材。
【請求項４】
請求項１乃至３のいずれか１項に記載のガイド部材と、このガイド部材に下端側がガイドされる戸体と、を備えており、
前記戸体は、下端部に下向きに開口し戸幅方向に延びるガイド溝がそれぞれに設けられ、戸幅方向に間隔を空けて設けられた複数の板状戸本体と、下端側に前記ガイド溝の溝底よりも下方側に突出する被ガイド部を有し、前記ガイド溝の溝幅よりも厚さが小とされ、板状戸本体間に架け渡されるように設けられた板状部材と、を備えていることを特徴とする引戸装置。
【発明の詳細な説明】
【技術分野】
【０００１】
本発明は、戸体のガイド部材及びこれを備えた引戸装置に関する。
【背景技術】
【０００２】
従来より、引戸の下端側をガイドするガイド部材が知られている。
例えば、下記特許文献１には、引戸の下端部に設けられた下向き開口のガイド溝に挿入される上方に突出したガイド体を備えたガイド部材が開示されている。
【先行技術文献】
【特許文献】
【０００３】
【特許文献１】特開２０１３−２２５７号公報
【発明の概要】
【発明が解決しようとする課題】
【０００４】
ところで、戸体としては、戸幅方向の中央部等に、戸幅方向両側部位よりも厚さが小とされ、戸高方向に延びる採光部や鏡板部等の薄板部を設けた構成とされたものが知られている。このような戸体の下端部にガイド溝を設ける場合には、薄板部には設け難いため、薄板部の下方側に、薄板部よりも戸厚方向に沿う寸法が大とされた下桟を架け渡すように設け、この下桟にガイド溝を設けることが考えられる。しかしながら、このような構成とすれば、下桟が目立ち易くなり、更なる改善が望まれる。
【０００５】
本発明は、上記実情に鑑みてなされたものであり、戸幅方向途中部位に戸高方向に延びる薄板部が設けられた戸体の下端側の見栄えを向上させながらも、該戸体の下端側をガイドし得るガイド部材及びこれを備えた引戸装置を提供することを目的としている。
【課題を解決するための手段】
【０００６】
上記目的を達成するために、本発明に係るガイド部材は、下端部に下向きに開口し戸幅方向に延びるガイド溝がそれぞれに設けられ、戸幅方向に間隔を空けて設けられた複数の板状戸本体間に、前記ガイド溝の溝幅よりも厚さが小とされた板状部材が架け渡されるように設けられた戸体の下端側をガイドするガイド部材であって、床側から上方側に向けて突出するように設けられ、前記ガイド溝に挿入される突出部を備えており、該突出部には、前記ガイド溝の溝底よりも下方側に突出するように設けられた前記板状部材の下端部の被ガイド部を受け入れる受入溝が上向きに開口し戸幅方向に貫通して設けられていることを特徴とする。
【０００７】
また、上記目的を達成するために、本発明に係る引戸装置は、本発明に係るガイド部材と、このガイド部材に下端側がガイドされる戸体と、を備えており、前記戸体は、下端部に下向きに開口し戸幅方向に延びるガイド溝がそれぞれに設けられ、戸幅方向に間隔を空けて設けられた複数の板状戸本体と、下端側に前記ガイド溝の溝底よりも下方側に突出する被ガイド部を有し、前記ガイド溝の溝幅よりも厚さが小とされ、板状戸本体間に架け渡されるように設けられた板状部材と、を備えていることを特徴とする。
【発明の効果】
【０００８】
本発明に係るガイド部材及びこれを備えた引戸装置は、上述のような構成としたことで、戸幅方向途中部位に戸高方向に延びる薄板部が設けられた戸体の下端側の見栄えを向上させながらも、該戸体の下端側をガイドすることができる。
【図面の簡単な説明】
【０００９】
【図１】（ａ）〜（ｃ）は、本発明の一実施形態に係るガイド部材の一例及びこれを備えた引戸装置の一例を模式的に示し、（ａ）は、一部破断概略側面図、（ｂ）は、同ガイド部材の概略平面図、（ｃ）は、同ガイド部材の概略斜視図である。
【図２】（ａ）は、同引戸装置が備える戸体の一例を模式的に示す概略正面図、（ｂ）は、同戸体の一部破断概略底面図である。
【図３】（ａ）は、同引戸装置が備える戸体の一変形例を模式的に示す一部破断概略底面図、（ｂ）〜（ｄ）は、本発明の他の実施形態に係るガイド部材の一例及びこれを備えた引戸装置の一例を模式的に示し、（ｂ）は、同引戸装置が備える戸体の一例を模式的に示す一部破断概略底面図、（ｃ）は、同ガイド部材の概略正面図、（ｄ）は、同引戸装置の一部破断概略側面図である。
【発明を実施するための形態】
【００１０】
以下に本発明の実施の形態について、図面に基づいて説明する。
なお、以下の各実施形態では、各実施形態に係るガイド部材及びこれを備えた引戸装置を施工した状態を基準として上下方向等の方向を説明する。
【００１１】
図１及び図２は、第１実施形態に係るガイド部材の一例及びこれを備えた引戸装置の一例を模式的に示す図である。
本実施形態に係るガイド部材１０は、図１（ａ）に示すように、戸体２０の下端側をガイドする。本実施形態に係る引戸装置１は、このガイド部材１０と、このガイド部材１０にガイドされる戸体２０と、を備えている。
戸体２０は、住居等の建物に設けられた出入口や収納体の開口を開閉する引戸を構成する。この戸体２０は、戸幅方向にスライド自在に上レール４に吊下支持される構成とされている。この戸体２０は、袖壁納めや戸袋納め、アウトセット納め等の適宜の納め態様で、適宜の戸枠に対して建て付けられるものでもよい。また、引戸装置１は、片引き状に配される一枚の戸体２０を備えたものでもよく、引分状や引違状に配される複数枚の戸体２０を備えたものでもよい。
【００１２】
また、戸体２０は、図２（ａ）に示すように、一方向（上下方向）に長尺な略矩形平板状とされている。この戸体２０の戸高寸法は、当該戸体２０によって開閉される出入口の開口高に応じた寸法としてもよい。また、この戸体２０の戸高寸法は、例えば、１８００ｍｍ〜２１００ｍｍ程度でもよいが、床２から天井３までの天井高と略同高さ、例えば、２４００ｍｍ〜３０００ｍｍ程度としてもよい。また、戸体２０の戸幅寸法は、出入口の開口幅に応じた寸法でもよく、例えば、６００ｍｍ〜１２００ｍｍ程度でもよい。また、戸体２０の戸厚寸法（後記する板状戸本体２１の厚さ寸法）は、例えば、２０ｍｍ〜４０ｍｍ程度でもよい。
【００１３】
この戸体２０の上端部には、図１（ａ）及び図２（ａ）に示すように、天井３側に設置される上レール４に案内支持される被ガイド部材としてのランナー２２が設けられている。図例では、上レール４を、天井３に埋込状に設けた例を示しているが、天井３に付設状に設けたり、戸枠を構成する上枠に埋込状または付設状に設けたりしてもよい。
この上レール４には、戸体２０の上端側をガイドするガイド溝５が長手方向に延びるように設けられている。ガイド溝５は、上レール４の全長に亘って設けられ、下向きに開口するように設けられている。上レール４には、このガイド溝５の溝底側となる上側を区画する天壁部６と、溝幅方向両側を区画する両側壁部７，７と、両側壁部７，７の下端部から互いに向き合う方向に突出する案内片部８，８と、が設けられている。
【００１４】
戸体２０のランナー２２は、図２（ａ）に示すように、戸幅方向両側端部の上端部のそれぞれに設けられている。各ランナー２２，２２には、図１（ａ）に示すように、上レール４のガイド溝５に挿入され、案内片部８，８上を走行する転動体２２ａ，２２ａが設けられている。これら転動体２２ａ，２２ａは、戸厚方向に沿う軸回りに転動するローラーとされている。また、各ランナー２２，２２に、両側の案内片部８，８のそれぞれを走行するように、戸厚方向に間隔を空けて転動体２２ａ，２２ａを設けた構成としている。また、各ランナー２２，２２に、これら転動体２２ａ，２２ａを戸幅方向に間隔を空けて設けた構成としている（図２（ａ）参照）。なお、戸体２０の上端部に設けられる被ガイド部材及びこの被ガイド部材を案内支持する上レール４としては、上記のような構成とされたものに限られず、その他、種々の構成とされたものでもよい。
【００１５】
また、戸体２０は、下端部に下向きに開口し戸幅方向に延びるガイド溝２４，２４がそれぞれに設けられ、戸幅方向に間隔を空けて設けられた複数の板状戸本体２１，２１を備えている。また、戸体２０は、これら板状戸本体２１，２１間に架け渡されるように設けられた板状部材２５を備えている。本実施形態では、戸先側の板状戸本体２１を構成する戸先側戸本体２１Ａと、戸尻側の板状戸本体２１を構成する戸尻側戸本体２１Ｂと、の間に架け渡すように板状部材２５を設けた構成としている。つまり、戸体２０は、二枚の板状戸本体２１，２１と、一枚の板状部材２５と、を備えている。上記したランナー２２，２２は、戸先側戸本体２１Ａ及び戸尻側戸本体２１Ｂのそれぞれの戸幅方向外側端部の上端部から上方側に向けて突出するように設けられている。
【００１６】
これら戸先側戸本体２１Ａ及び戸尻側戸本体２１Ｂは、一方向（上下方向）に長尺な略矩形平板状とされ、当該戸体２０の戸高方向の略全長に亘って設けられている。つまり、これら戸先側戸本体２１Ａ及び戸尻側戸本体２１Ｂの戸高方向に沿う長さ寸法は、互いに略同寸法とされ、かつ当該戸体２０の戸高寸法と略同寸法とされている。また、これら戸先側戸本体２１Ａ及び戸尻側戸本体２１Ｂは、戸厚方向に沿う厚さ寸法が互いに略同寸法とされている。また、これら戸先側戸本体２１Ａ及び戸尻側戸本体２１Ｂは、本実施形態では、戸幅方向に沿う幅寸法が互いに略同寸法とされている。戸体２０は、これら戸先側戸本体２１Ａ及び戸尻側戸本体２１Ｂが縦框部を構成し、薄板部を構成する板状部材２５とによって二方框状の外観を呈するものとされている。なお、戸先側戸本体２１Ａと戸尻側戸本体２１Ｂとは、戸先側戸本体２１Ａに引手２０ａが設けられていることを除いては互いに同様の構成であるので、以下では、板状戸本体２１，２１として説明する。
【００１７】
これら板状戸本体２１，２１のそれぞれの幅寸法は、戸体２０の戸幅寸法等に応じて適宜の寸法としてもよく、例えば、戸体２０の戸幅寸法の１／６〜２／５程度の寸法としてもよく、図例では、１／３程度とした例を示している。
また、これら板状戸本体２１，２１は、例えば、木質系材料から形成された枠状芯材の戸厚方向両側に、面材を貼着した構成とされたいわゆるフラッシュパネル状とされたものでもよい。また、面材は、各板状戸本体２１，２１の後記する接合溝２３，２３を除いた四周表面（厚さ方向両面及び幅方向両側端面）が化粧面となるように枠状芯材の四周表面に貼着されたものでもよい。また、例えば、これら両側の板状戸本体２１，２１の一部に金属製補強材や樹脂層、繊維強化樹脂層（いわゆるＦＲＰ）等が設けられたものでもよく、枠状芯材内にペーパーコアや発泡コア等のコア材が収容されたものでもよい。
【００１８】
また、これら両側の板状戸本体２１，２１の互いに向き合う側端部には、図２（ａ）、（ｂ）に示すように、板状部材２５の戸幅方向両側の側端部２６，２６が接合される接合部を構成する接合溝２３，２３が設けられている。
これら接合溝２３，２３は、両側の板状戸本体２１，２１の互いに向き合う各側端面において互いに向き合う方向に開口し、かつ長手方向（戸高方向）に延びるように設けられている。これら接合溝２３，２３の戸厚方向に沿う溝幅寸法や戸幅方向に沿う溝深さ寸法は、板状部材２５の各側端部２６，２６の嵌め入れが可能なように適宜の寸法としてもよい。
また、本実施形態では、これら接合溝２３，２３を、各板状戸本体２１，２１の戸厚方向略中心に位置するように設けた構成としている。つまり、戸体２０の戸厚方向略中心に位置するように板状部材２５が設けられることとなる。また、これら接合溝２３，２３は、各板状戸本体２１，２１の全長に亘って設けられたものでもよい。
【００１９】
また、これら板状戸本体２１，２１の下端部に設けられたガイド溝２４，２４は、図１（ａ）及び図２に示すように、各板状戸本体２１，２１の下端面において開口するように設けられている。これらガイド溝２４，２４は、各板状戸本体２１，２１の戸厚方向略中心に位置するように設けられている。また、本実施形態では、これらガイド溝２４，２４を、各板状戸本体２１，２１の幅方向の全体に亘って設けた構成としている。なお、このような態様に代えて、例えば、当該戸体２０が開閉される際の戸幅方向への移動寸法が戸幅寸法よりも小であるような場合には、戸体２０の戸幅方向外側となる端部において各板状戸本体２１，２１のガイド溝２４，２４を開口させていない構成等としてもよい。
【００２０】
また、これらガイド溝２４，２４は、溝長手方向に見て略方形溝状とされている。これらガイド溝２４，２４は、下方側に向く溝底２４ａ，２４ａと、戸厚方向内側に向く両側の溝側壁と、によって区画されている。これらガイド溝２４，２４の戸厚方向に沿う溝幅寸法や戸高方向に沿う溝深さ寸法は、互いに略同寸法とされている。また、これらガイド溝２４，２４の溝幅寸法は、上記した接合溝２３，２３の溝幅寸法よりも大とされている。なお、これらガイド溝２４，２４の戸厚方向に沿う溝幅寸法や戸高方向に沿う溝深さ寸法は、後記するガイド部材１０の突出部１５の少なくとも上端側部位の挿入が可能なように、また、ガイド性の観点等から適宜の寸法とすればよい。また、これらガイド溝２４，２４は、各板状戸本体２１，２１の下端部に設けられた取付溝に取り付けられた樹脂製や金属製等の溝部材によって区画されたものでもよい。
【００２１】
板状部材２５は、一方向（上下方向）に長尺な略矩形平板状とされ、当該戸体２０の戸高方向の略全長に亘って設けられている。つまり、この板状部材２５の戸高方向に沿う長さ寸法は、板状戸本体２１，２１の長さ寸法と略同寸法とされている。
また、板状部材２５は、下端側にガイド溝２４の溝底２４ａよりも下方側に突出する被ガイド部２７を有している。本実施形態では、この板状部材２５のガイド溝２４の溝底２４ａよりも下方側に突出する部位を、被ガイド部２７としている。つまり、本実施形態では、板状部材２５の下端部を被ガイド部２７としている。
また、板状部材２５は、ガイド溝２４の溝幅よりも厚さが小とされている。この板状部材２５は、全体に亘って略一様な厚さとされている。この板状部材２５の厚さ寸法は、ガイド溝２４の溝幅に応じて、また、強度上の観点等から適宜の厚さとしてもよく、例えば、２ｍｍ〜１２ｍｍ程度としてもよい。図例では、板状部材２５（被ガイド部２７）の厚さ方向の各面と、各面に対向状に配されるガイド溝２４の溝側壁との間の寸法を、板状部材２５の厚さ寸法以上の寸法とした例を示しているが、このような態様に限られない。
【００２２】
また、被ガイド部２７は、両側の板状戸本体２１，２１の接合溝２３，２３に嵌め入れられた両側の側端部２６，２６の下端部を含む板状部材２５の下端部によって構成されている。つまり、被ガイド部２７は、戸幅方向両側の各端部が両側の板状戸本体２１，２１の各ガイド溝２４，２４内に位置するように設けられている。なお、この被ガイド部２７の戸幅方向両側の各端部を、戸幅方向外側に向かうに従い厚さ寸法を小とするように先細状とされたものとしてもよい。
また、被ガイド部２７は、その下端面、つまり、板状部材２５の下端面がガイド溝２４の溝底２４ａよりも下方側に位置するように設けられている。本実施形態では、この被ガイド部２７の下端面と板状戸本体２１，２１の下端面とを略同一平面状とした例を示している。被ガイド部２７の下端面と板状戸本体２１，２１の下端面とが略同一平面状とは、完全に同一であるものに限られず、戸高方向において１０ｍｍ程度、好ましくは５ｍｍ程度の段差（高低差）があるものでもよい。
また、この被ガイド部２７の溝底２４ａからの戸高方向に沿う突出寸法は、後記するガイド部材１０によるガイド性の観点や見栄え上の観点等から適宜の寸法としてもよい。
【００２３】
また、本実施形態では、板状部材２５は、アクリルやポリカーボネート等の合成樹脂系材料や、ガラス等の透光性材料から形成され、透光性を有した透光板とされている。つまり、この板状部材２５は、戸体２０の採光部を構成する。この板状部材２５は、例えば、二枚のガラス板を厚さ方向に接合した合わせガラスでもよい。
また、この板状部材２５は、略無色透明とされたものに限られず、有色透明とされたものや半透明とされたものでもよい。この板状部材２５としては、例えば、透明材料に着色剤が添加されて有色透明とされたものや、樹脂フィルム等が積層されて有色透明とされたものでもよい。また、この板状部材２５としては、スモークガラス状やすりガラス状とされたものでもよく、また、二枚の透明（透光）パネル間に、和紙等のシート材を介在させた構成とされたものでもよく、その他、種々の構成とされたものでもよい。なお、板状部材２５は、透光性を有したものに限られず、戸体２０の鏡板部を構成する不透光な板体でもよく、また、厚さ方向両面が略平坦面状とされたものに限られず、凹凸が設けられたものでもよい。
【００２４】
また、板状部材２５の側端部２６，２６と板状戸本体２１，２１とは、側端部２６，２６を接合溝２３，２３に圧入状に嵌め入れて接合されたものでもよく、接着剤等を介して接合されたものでもよく、その他、固着具や固定金具等によって接合されたものでもよい。また、このような態様に代えて、例えば、両側の板状戸本体２１，２１に固定される接合部材に、板状部材２５の側端部２６，２６が嵌め入れられる凹溝を設けた構成としてもよい。また、板状部材２５の側端部２６，２６を戸厚方向両側から挟むように保持するモール状部材を両側の板状戸本体２１，２１に固定した態様等としてもよい。両側の板状戸本体２１，２１と板状部材２５とを接合する接合態様としては、その他、種々の変形が可能である。
【００２５】
ガイド部材１０は、図１（ａ）に示すように、床２側から上方側に向けて突出するように設けられ、ガイド溝２４に挿入される突出部１５を備えている。このような構成とすれば、板状戸本体２１のガイド溝２４に挿入された突出部１５によって、戸幅方向に移動する戸体２０の板状戸本体２１の下端側の戸厚方向への振れを抑制することができる。また、この突出部１５には、ガイド溝２４の溝底２４ａよりも下方側に突出するように設けられた板状部材２５の被ガイド部２７を受け入れる受入溝１９が上向きに開口し戸幅方向に貫通して設けられている。このような構成とすれば、板状部材２５の被ガイド部２７を受け入れた受入溝１９の両溝側壁面１８，１８によって、戸幅方向に移動する戸体２０の板状部材２５の下端側の戸厚方向への振れを抑制することができる。これにより、戸体２０の下端部に、ガイド溝２４を設けるために板状戸本体２１，２１間に架け渡すように下桟を設ける必要がなく、薄板部を構成する板状部材２５を戸体２０の下端に至るように設けることができ、すっきりとした外観にすることができる。特に、本実施形態のように、薄板部を構成する板状部材２５が採光部を構成する場合には、戸高方向の略全長に亘る採光部を設けることができ、ガイド溝２４を設けるための下桟を設けたものと比べて、戸体２０の見栄えを向上させることができる。
【００２６】
突出部１５の戸厚方向に沿う寸法及び戸高方向に沿う寸法は、ガイド溝２４に挿入可能なように適宜の寸法とされている。また、本実施形態では、突出部１５を、戸高方向に見た外郭形状が略円形状とされた略円柱状としている。
受入溝１９は、この突出部１５の少なくとも上端側部位を戸厚方向に分割するように設けられている。つまり、この受入溝１９の溝幅方向両側は、突出部１５の少なくとも上端側部位が戸厚方向に分割された分割壁部１６，１６によって区画されている。これら分割壁部１６，１６によって被ガイド部２７が挟まれるようにガイドされる。また、受入溝１９は、突出部１５の戸厚方向略中心を戸幅方向に貫通して設けられている。
分割壁部１６，１６の互いに対向する面（戸厚方向中心側に向く面）が受入溝１９の両溝側壁面１８，１８を構成する。本実施形態では、図１（ｂ）、（ｃ）に示すように、これら両溝側壁面１８，１８の戸幅方向両端部に、戸幅方向外側に向かうに従い溝幅寸法を大とするように傾斜する傾斜ガイド面を設けた構成としている。このような構成とすれば、戸体２０の移動に伴い移動する被ガイド部２７を円滑に受入溝１９に受け入れることができる。
【００２７】
図例では、これら両溝側壁面１８，１８を、戸幅方向の全体に亘って、戸高方向に見て略円弧状の突湾曲面状とした例を示している。なお、このような態様に代えて、両溝側壁面１８，１８の戸幅方向両端部のみにＲ面取状やＣ面取状の傾斜ガイド面を設けたような態様としてもよく、さらには、これら両溝側壁面１８，１８を、戸幅方向の全体に亘って互いに平行状の略平坦面状としてもよい。
また、分割壁部１６，１６の戸厚方向外側に向く外側面１７，１７は、ガイド溝２４の溝幅方向両側の溝側壁に対向するように配される。本実施形態では、これら外側面１７，１７の戸幅方向両端部に、戸幅方向外側に向かうに従い溝幅方向中心側となるように傾斜する傾斜ガイド面を設けた構成としている。本実施形態では、突出部１５を上記のような形状とし、これら外側面１７，１７を、戸幅方向の全体に亘って、戸高方向に見て略円弧状の突湾曲面状とした例を示している。なお、このような態様に代えて、上記同様、外側面１７，１７の戸幅方向両端部のみにＲ面取状やＣ面取状の傾斜ガイド面を設けたような態様としてもよく、さらには、これら外側面１７，１７を、戸幅方向の全体に亘って互いに平行状の略平坦面状としてもよい。
【００２８】
また、受入溝１９の戸高方向に沿う深さ寸法や戸厚方向に沿う溝幅寸法は、被ガイド部２７のガイド性の観点等から適宜の寸法としてもよい。例えば、受入溝１９の溝幅寸法（両溝側壁面１８，１８間の最小幅寸法）を、被ガイド部２７の戸厚方向に沿う厚さ寸法よりも僅かに大としてもよい。
また、本実施形態では、突出部１５を、床２側に固定されるベース部１１上に設けた構成としている。ベース部１１は、戸高方向に厚さ方向を沿わせて配される平板状とされている。図例では、ベース部１１を、厚さ方向に見て略方形状とした例を示しているが、このような形状に限られない。また、このベース部１１に、当該ガイド部材１０を床２に固定するねじ等の固着具が挿通される挿通孔を設けた構成としてもよい。
また、ガイド部材１０は、耐摩耗性や摺動性の良好な合成樹脂系材料や金属系材料から形成されたものでもよい。また、ガイド部材１０における少なくとも被ガイド部２７との接触箇所が摺動性の良好なＰＯＭ（ポリアセタール）等の樹脂材や、含油ＰＯＭ等の含油樹脂材等から形成されたものでもよい。
【００２９】
次に、戸体の一変形例並びに他の実施形態に係るガイド部材の一例及びこれを備えた引戸装置の一例について、図面を参照しながら説明する。
なお、以下の変形例及び実施形態では、上記した例との相違点について主に説明し、同様の構成については、同一の符号を付し、その説明を省略または簡略に説明する。
【００３０】
図３（ａ）は、第１変形例に係る戸体２０Ａの一例を模式的に示す図である。
本変形例では、板状部材２５Ａの下方側において戸幅方向に延びるように設けられ、両端部２８ａ，２８ａが両側の板状戸本体２１，２１のガイド溝２４，２４の溝底２４ａ，２４ａに固定された下端連結部材を被ガイド部２８としている。このような構成とすれば、板状部材２５Ａを介して連結された両側の板状戸本体２１，２１同士の連結を補強することができる。なお、板状部材２５Ａの上端側にも同様な連結部材を設けた構成としてもよい。
【００３１】
この被ガイド部２８は、両端部２８ａ，２８ａにねじ等の固着具が挿通される挿通孔を設けた構成とされ、固着具によって板状戸本体２１，２１のガイド溝２４，２４の溝底２４ａ，２４ａに固定されている。この被ガイド部２８は、下方側に向く下側面が板状戸本体２１，２１の下端面と略同一平面状となるように設けられたものでもよい。つまり、被ガイド部２８のガイド溝２４，２４の溝底２４ａ，２４ａに固定される両端部２８ａ，２８ａの戸高方向に沿う寸法は、ガイド溝２４の溝深さ寸法と略同寸法とされている。また、この被ガイド部２８の戸幅方向中央側部位（板状部材２５Ａの下方側に位置する部位）の戸高方向に沿う寸法は、ガイド溝２４の溝深さ寸法よりも小とされている。つまり、被ガイド部２８は、戸幅方向中央側部位に、戸厚方向に貫通し、板状部材２５Ａの下端部を受け入れるように上方側に向けて開口する受入凹所を設けた構成とされている。
【００３２】
この被ガイド部２８の戸幅方向中央側部位の戸高方向に沿う寸法は、板状部材２５Ａの下方側において露出する被ガイド部２８を目立ち難くする観点や強度上の観点等から適宜の寸法としてもよい。この被ガイド部２８の戸幅方向中央側部位の戸高方向に沿う寸法を、例えば、０．５ｍｍ〜１０ｍｍ程度としてもよく、好ましくは、５ｍｍ以下としてもよい。
また、この被ガイド部２８の戸厚方向に沿う寸法は、板状部材２５Ａの厚さ寸法と略同寸法または板状部材２５Ａの厚さ寸法よりも小としてもよい。被ガイド部２８の戸厚方向に沿う寸法を板状部材２５Ａの厚さ寸法よりも小とした場合には、板状部材２５Ａの下端部が被ガイド部２８を構成するものとしてもよい。
なお、図例では、被ガイド部２８の戸幅方向に沿う寸法を、両端部２８ａ，２８ａが当該戸体２０Ａの戸幅方向両端部に位置するように比較的に大とした例を示しているが、このような態様に限られない。例えば、被ガイド部２８の両端部２８ａ，２８ａが板状戸本体２１，２１の板状部材２５Ａ側の端部（本変形例では、戸幅方向中央側の端部）に位置するような態様等としてもよい。
また、この被ガイド部２８は、金属系材料や硬質の合成樹脂系材料から形成されたものでもよい。また、この被ガイド部２８は、両側の板状戸本体２１，２１と略同色同柄状となるように、化粧シートの貼着や塗装等によって適宜の表面化粧処理が施されたものでもよい。
【００３３】
図３（ｂ）〜（ｄ）は、第２実施形態に係るガイド部材の一例及びこれを備えた引戸装置の一例を模式的に示す図である。
本実施形態に係る引戸装置１Ａの戸体２０Ｂは、図３（ｂ）、（ｄ）に示すように、板状部材２５の下端面に沿うように設けられ、両端部が両側の板状戸本体２１，２１のガイド溝２４，２４の溝底２４ａ，２４ａに固定された紐状連結部材２９を備えている。このような構成とすれば、上記した変形例と概ね同様、両側の板状戸本体２１，２１の下端側同士を比較的に強固に連結することができる。なお、このような紐状連結部材２９を板状部材２５の上端側にも設けた構成としてもよい。
この紐状連結部材２９は、戸幅方向に長尺状の紐状（ロープ状）とされ、例えば、金属製ワイヤー等でもよい。この紐状連結部材２９の径は、板状部材２５（被ガイド部２７）の厚さ寸法よりも小とされている。この紐状連結部材２９の径は、強度上の観点や、見栄え上の観点等から適宜の寸法としてもよく、例えば、０．５ｍｍ〜３ｍｍ程度等としてもよい。図例では、この紐状連結部材２９における板状部材２５の下端面に沿わせられた部位の下側面と板状戸本体２１，２１の下端面とを略同一平面状とした例を示しているが、このような態様に限られない。
【００３４】
また、この紐状連結部材２９の長手方向両端部には、ねじ等の止具９，９が挿通される挿通孔を設けた固定部２９ａ，２９ａが設けられている。これら固定部２９ａ，２９ａ及び止具９，９は、戸厚方向に沿う寸法がガイド溝２４の溝幅よりも小で、かつ板状部材２５（被ガイド部２７）の厚さ寸法よりも大とされている。
また、この紐状連結部材２９は、板状部材２５の下端面に沿わせられた部位の両端からガイド溝２４，２４の溝底２４ａ，２４ａに向けて斜め状に屈曲し、その両端の固定部２９ａ，２９ａが溝底２４ａ，２４ａに固定されている。なお、図例では、紐状連結部材２９の戸幅方向に沿う寸法を、固定部２９ａ，２９ａが板状戸本体２１，２１の板状部材２５側の端部（本実施形態では、戸幅方向中央側の端部）に位置するように比較的に小とした例を示しているが、このような態様に限られない。
【００３５】
また、本実施形態では、図３（ｃ）に示すように、ガイド部材１０Ａは、ベース部１１Ａに対して突出部１５Ａを昇降自在に保持させた構成とされている。このような構成とすれば、ガイド溝２４の溝底２４ａに紐状連結部材２９の両端を固定する固定部２９ａ，２９ａや止具９，９が設けられているような場合にも、突出部１５Ａが降下することで、固定部２９ａ，２９ａや止具９，９との干渉を抑制することができる。
また、本実施形態では、突出部１５Ａの戸幅方向両側縁部に面取部１６ａ，１６ａを設けた構成としている。このような構成とすれば、紐状連結部材２９の両端を固定する固定部２９ａ，２９ａや止具９，９への引っ掛かりを抑制することができる。
ベース部１１Ａに対する突出部１５Ａの昇降寸法は、ガイド溝２４の溝底２４ａから突出する固定部２９ａ，２９ａや止具９，９との干渉を抑制する観点等から適宜の寸法とすればよい。
【００３６】
本実施形態では、ベース部１１Ａに対して突出部１５Ａを上方側に向けて付勢する付勢部材１４を設けた構成としている。このような構成とすれば、固定部２９ａ，２９ａや止具９，９に当接して降下した突出部１５Ａを付勢部材１４によって上昇させて初期位置に復帰させることができる。図例では、この付勢部材１４を、圧縮コイルばねとした例を示しているが、他のばね部材としてもよく、その他、ゴム等の弾性部材からなるものとしてもよい。また、突出部１５Ａに、下方側に向けて開口し、付勢部材１４を受け入れる凹所１５ａを設けた構成としている。また、ベース部１１Ａに、突出部１５Ａの下端部を戸高方向に移動自在に収容する収容空間１２を設け、この収容空間１２の下方側を区画する底板部上に付勢部材１４を設けた例を示している。また、突出部１５Ａの下端部周縁部に、径方向に突出し、ベース部１１Ａの収容空間１２の上方開口周縁部の当接部１３に当接される抜止片部１５ｂを設けた例を示している。なお、突出部１５Ａをベース部１１Ａに対して上方側に向けて付勢部材１４によって付勢し、かつ昇降自在とする態様としては、上記のような態様に限られず、その他、種々の変形が可能である。
【００３７】
面取部１６ａ，１６ａは、突出部１５Ａを構成する各分割壁部１６Ａ，１６Ａの上側面の戸幅方向両端部に設けられ、戸幅方向外側に向かうに従い下るように傾斜する傾斜面とされている。図例では、Ｃ面取状の傾斜面とした例を示しているが、Ｒ面取状の傾斜面としてもよい。また、図例では、各分割壁部１６Ａ，１６Ａの上側面の戸幅方向両端部のみに面取部１６ａ，１６ａを構成する傾斜面を設けた例を示しているが、例えば、各分割壁部１６Ａ，１６Ａの上側面が略全体に亘って突湾曲面状とされたものでもよい。
なお、上記した各例に係る戸体２０，２０Ａ，２０Ｂ及び各実施形態に係るガイド部材１０，１０Ａにおける互いに異なる構成を、適宜、組み替えたり、組み合わせたりして適用するようにしてもよい。
【００３８】
また、上記した例では、戸体２０，２０Ａ，２０Ｂを、板状戸本体２１，２１間の薄板部の戸幅寸法が比較的に大とされて二方框状の外観を呈するものとした例を示しているが、このような態様に限られない。例えば、板状戸本体２１，２１間の薄板部の戸幅寸法がスリット状に比較的に小とされたものでもよく、また、一方の板状戸本体２１の戸幅寸法を、他方の板状戸本体２１の戸幅寸法よりも大としたような態様等としてもよい。また、戸幅方向に３つ以上の板状戸本体２１を設け、これら複数の板状戸本体２１間に、板状部材２５，２５Ａを架け渡すように設けたような態様等としてもよい。上記各実施形態に係るガイド部材１０，１０Ａ及びこれを備えた引戸装置１，１Ａの上記した各部材及び各部の構成は、一例に過ぎず、その他、種々の変形が可能である。
【符号の説明】
【００３９】
１，１Ａ              引戸装置
１０，１０Ａ          ガイド部材
１１，１１Ａ          ベース部
１５，１５Ａ          突出部
１６ａ                面取部
１９                  受入溝
２０，２０Ａ，２０Ｂ  戸体
２１                  板状戸本体
２１Ａ                戸先側戸本体（板状戸本体）
２１Ｂ                戸尻側戸本体（板状戸本体）
２４                  ガイド溝
２４ａ                溝底
２５，２５Ａ          板状部材
２７，２８            被ガイド部
２                    床
【図１】
2020180455.tif 000003
【図２】
2020180455.tif 000004
【図３】
2020180455.tif 000005